(57)【要約】【課題】物品または液体が偶発的に付勢されて固定水平面の先端または端部を越えて飛び出すことを防止するための安全ガードを提供する。【解決手段】固定水平面の端縁を越える物体又は液体の偶発的付勢移動を阻止するように構成された取り外し可能な安全ガードであって、前記偶発的付勢移動がなければ、前記端縁は前記物体の移動を妨ない安全ガード。【選択図】図１
2010104794.tif 000002
【特許請求の範囲】
【請求項１】
物品または液体が偶発的に付勢されて固定水平面の先端または端部を越えて飛び出すことを防止するために構成された取り外し可能な安全ガードであって、
前記安全ガードは前記固定水平面に取外し可能なように取り付けられ、
前記固定水平面は作業台上面、および作業台上面またはテーブル上面内の調理台上面を含んだ安全ガードにおいて、
前記安全ガードのガード部材は、使用時において、子供の視界からは前記ガード部材から離れた位置にある物体の視覚化に対する障壁として前記ガード部材が作用し、且つ大人の視界からは視覚化に対する障壁として作用しないような高さに選択されていることを特徴とする安全ガード。
【請求項２】
前記安全ガードは略垂直方向に縦長の長方形部材を具備し、該長方形部材は端縁によって境界が形成された外向きの面と内向きの面とを備え、前記部材は前記固定水平面の端縁の少なくとも一部に沿って延在していることを特徴とする請求項１に記載の安全ガード。
【請求項３】
前記固定水平面の端縁は、該固定水平面の端縁に十分近接した範囲内で付勢された場合に、前記物品が前記水平面から落下し得る前記固定水平面の何れかの端縁であることを特徴とする請求項２に記載の安全ガード。
【請求項４】
前記安全ガードは前記固定水平面のスロット内に挿入されるように構成されていることを特徴とする請求項１〜３のいずれか一項に記載の安全ガード。
【請求項５】
前記ストリップにはカバーストリップが設けられ、該ストリップは前記スロット内への汚れ及び他の物質の進入を阻止するように構成されていることを特徴とする請求項４に記載の安全ガード。
【請求項６】
前記安全ガードは前記固定水平面に取り付けられたガード保持手段内に挿入されるように構成されていることを特徴とする請求項１に記載の安全ガード。
【請求項７】
前記保持手段は押出チャネルまたは成型チャネルの形態であり、該チャネルは前記固定水平面に取り付けられるように構成されていることを特徴とする請求項６に記載の安全ガード。
【請求項８】
前記押出チャネルまたは成型チャネルは、
ａ）塗布された接着剤、
ｂ）両面接着テープ、
ｃ）磁石手段、
ｄ）吸引手段、または
ｅ）ネジ及びリベット等を含む機械的手段
を含んだ取り付け手段によって前記固定水平面に取り付けられていることを特徴とする請求項７に記載の安全ガード。
【請求項９】
前記安全ガードはヒンジ要素の手段によって前記固定水平面に取り付けられていることを特徴とする請求項３に記載の安全ガード。
【請求項１０】
前記安全ガードおよび前記ガード保持手段は金属材料で形成されている請求項６〜８のいずれか一項に記載の安全ガード。
【請求項１１】
前記安全ガードおよび前記ガード保持手段は非金属材料で形成されている請求項６〜１０のいずれか一項に記載の安全ガード。
【請求項１２】
前記安全ガードおよび前記ガード保持手段は、金属材料と非金属材料との組み合わせで形成されている請求項７〜１１のいずれか一項に記載の安全ガード。
【請求項１３】
物品または液体が偶発的に付勢されて固定水平面の端部を越えて飛び出すことを防止するための方法であって、
該方法は前記固定水平面の端部の少なくとも一部に沿って配置される取り外し可能なガード部材の支給を含み、
前記ガード部材は前記固定水平面上で十分な高さまで延出し、これによって前記物品または液体の飛び出しに対する障壁を形成する方法において、
前記ガード部材は、使用時において、子供の視界からは前記ガード部材から離れた位置にある物体の視覚化に対する障壁として前記ガード部材が作用し、且つ大人の視界からは視覚化に対する障壁として作用しないような高さに選択されていることを特徴とする安全ガード。
【請求項１４】
固定水平面の先端または端部のための安全ガード部材を支給する方法であって、
前記ガード部材は前記固定水平面の前記端部に沿って固定された押出チャネルまたは成型チャネル内に取外し可能に保持され、前記ガード部材は子供の視界からは前記ガード部材から離れた位置にある物体の視覚化に対する障壁として前記ガード部材が作用し、且つ大人の視界からは視覚化に対する障壁として作用しないような高さであることを特徴とする方法。
【請求項１５】
固定水平面の端部のための安全ガード部材を支給する方法であって、
前記ガード部材は前記固定水平面の端部に沿って固定された押出チャネルまたは成型チャネル内に保持され、前記ガード部材は子供の視界からは前記ガード部材から離れた位置にある物体の視覚化に対する障壁として前記ガード部材が作用し、且つ大人の視界からは視覚化に対する障壁として作用しないような高さであることを特徴とする方法。
【請求項１６】
固定水平面の先端または端部のための安全ガード部材を支給する方法であって、
前記ガード部材はヒンジ要素によって前記固定水平面の端部に沿って取り付けられ、前記ガード部材は子供の視界からは前記ガード部材から離れた位置にある物体の視覚化に対する障壁として前記ガード部材が作用し、且つ大人の視界からは視覚化に対する障壁として作用しないような高さであることを特徴とする方法。
【発明の詳細な説明】
【技術分野】
【０００１】
本発明は、台所の上面、作業又は実験室等のような作業面と関連する安全装置に関し、より詳細には、物体の偶発的移動又はこれらの作業表面からの流体のこぼれを阻止する手段に関する。
【背景技術】
【０００２】
多くの人にとって、材料又は流体の偶発的なこぼれ、及び作業台、調理台上面及びテーブルからの物体の偶発的移動を阻止する適切な装置の欠落は、深刻な損傷、およびまたは出費、そして極端な場合には事故にさえ帰着する。
【０００３】
作業台及び台所のテーブルからの熱い又は苛性流体（例えば、熱い茶又はコーヒ）の偶発的なこぼれは、西欧文明における小さな子供の及び損傷の主な原因の１つである。老人及び虚弱者もこうした死及び損傷を被る。
【０００４】
物体の偶発的移動と、作業台及びテーブルからの流体のこぼれとは、財政的に及び雇用者に対する傷害の両方で産業に衝撃を与え得る。学校の科学作業台は、物体が偶発的に移動されるか又は流体のこぼれがある場合の潜在的危険性のある別の領域である。熱い及び苛性物質は再び教室における学齢児童に対する主な傷害の原因である。
【先行技術文献】
【特許文献】
【０００５】
【特許文献１】特開２０００−１８９３３５号公報
【特許文献２】米国特許第４９８６１９３号明細書
【特許文献３】特開平６−１５４０３３号公報
【特許文献４】特開平６−１３３４３３号公報
【特許文献５】実開平６−３４５３１号公報
【発明の概要】
【発明が解決しようとする課題】
【０００６】
本発明の目的は、こうした出来事を防ぐ支援を供することである。
【課題を解決するための手段】
【０００７】
従って、本発明の一つの広義な態様では、固定水平表面の端縁を越える物体又は液体の偶発的付勢移動を阻止するように構成された着脱可能な安全ガードが設けられる。前記偶発的付勢移動がなければ、前記端縁は前記物品の移動を妨げない。
【０００８】
好ましくは、前記表面は作業台上部、調理台上部又はテーブル上部を含む。
【０００９】
好ましくは、前記安全ガードは、略垂直方向に縦長の長方形部材を具備し、該長方形部材は端縁によって境界が形成された外向き面と内向き面とを備え、前記部材は前記固定水平面の面の端縁の少なくとも一部に沿って延在している。
【００１０】
好ましくは、前記固定水平面の端縁は、該固定水平面の端縁に十分近接した範囲内で付勢された場合に、前記物品が前記水平面から落下し得る前記固定水平面の何れかの端縁である。
【００１１】
好ましくは、前記安全ガードは、前記表面のスロット内に挿入されるように構成されている。
【００１２】
好ましくは、前記スロットにはカバーストリップが設けられる。前記ストリップは前記スロット内への汚れ及び他の物質の進入を防ぐように構成されている。
【００１３】
好ましくは、前記安全ガードは、前記表面に取り付けられたガード保持手段内に挿入されるように構成されている。
【００１４】
好ましくは、前記保持手段は押出チャネルまたは成型チャネルの形態であり、該チャネルは前記固定水平面に取り付けられるように構成されている。
【００１５】
好ましくは、前記押出チャネルまたは成型チャネルは、
ａ）塗布された接着剤、
ｂ）両面接着テープ、
ｃ）磁石手段、
ｄ）吸引手段、または
ｅ）ネジ及びリベット等を含む機械的手段
を含んだ取り付け手段によって前記固定水平面に取り付けられている。
【００１６】
好ましくは、前記安全ガードはヒンジ要素の手段によって前記固定水平面に取り付けられている。
【００１７】
好ましくは、前記安全ガードおよび前記ガード保持手段は金属材料で形成されている。
【００１８】
好ましくは、前記安全ガードおよび前記ガード保持手段は非金属材料で形成されている。
【００１９】
好ましくは、前記ガード及び前記ガード保持手段は金属材料及び非金属材料の組合せから構成される。
【００２０】
従って、本発明の別の広義な態様では、固定水平表面の端縁を越える物品又は液体の偶発的付勢移動を防止する方法が提供される。前記方法は、前記表面の前記端縁の少なくとも一部に沿って配置されたガード部材を設けることを含む。前記ガード部材は前記表面より上に十分な高さだけ延在し、これにより前記物品又は液体の移動に対する障壁を画定する。
【００２１】
従って、本発明のまた別の広義な態様では、前記ガード部材が前記表面の端縁に沿って配置されたスロット内に挿入される固定水平表面用安全ガード部材を設ける方法が提供される。
【００２２】
従って、本発明のまた別の広義な態様では、前記ガード部材が前記表面の端縁に沿って固定された押出成形チャネルに保持される、固定水平表面の端縁用安全ガード部材を設ける方法が提供される。
【００２３】
従って、本発明のまた別の広義な態様では、前記ガード部材がヒンジ付要素によって前記表面の端縁に沿って取り付けられる固定水平表面の端縁用安全ガード部材を設ける方法が提供される。
【００２４】
ここで、本発明の実施形態を添付図面を参照して説明する。
【図面の簡単な説明】
【００２５】
【図１】本発明の実施形態による作業台頂部安全機構の斜視図である。
【図２】図１の実施形態の別の保持手段の斜視図である。
【図３】本発明の第２実施形態による作業台頂部安全機構の斜視図である。
【図４】図１、図２又は図３のいずれか１つの装置と共に使用する構成要素の斜視図である。
【図５】図１の実施形態の構成要素の取付手段の斜視図である。
【図６】用中の図１の実施形態の斜視図である。
【図７】本発明の実施形態を用いた場合と用いない場合の、大人の目線と比較した子供の目線の視覚的整合を示す斜視図である。
【図８】本発明の更なる実施形態によるベンチガードの斜視図である。
【図９】本発明の更なる実施形態によるベンチガードを示す図である。
【図１０】本発明の更に別の実施形態によるベンチガードを示す図である。
【発明を実施するための形態】
【００２６】
本発明の実施形態は作業表面の外周に適切なガード要素の付加を与える。これらの作業面の端縁は、例えば、はねよけ板(splashbacks)又は当接壁によるように、適切なガード要素の付加がなければ、保護されない。
【００２７】
図１及び図２に関する本発明の第１の好ましい実施形態では、保持要素２（又は４）に配置された直立態様で延在するガード要素１が設けられている。ガード要素１は、図６に最も良く示し得るように、作業面の露出端縁の少なくとも一部に沿って延在する適切な高さ及び厚さの細長い堅固なストリップの形態をしている。
【００２８】
図５から理解し得るように、この第１の実施形態では、ガード要素１は、押出成形チャネル断面の形態をした保持要素２（又は４）を利用して作業台上面６の作業面に固定されている。保持要素２（又は４）は、図６に示すような様々な手段、例えば、ネジ９、リベット１０によって、あるいは両面自己接着ストリップ８によって、作業台上面６に固定し得る。保持要素２（又は４）を作業台上面６の表面に保持する更なる方法は、適切な接着剤、あるいは磁気ストリップのような非機械的手段又は吸引手段で結合することも含み得る。
【００２９】
ガード要素１は永久的に又は取外し可能に又は半永久的に（例えば、摩擦嵌合によって又はモールド成型錠止嵌合によって）保持要素２（又は４）に固定し得るか、またはガード機能が必要でない場合にはそのガード要素の取外しを可能にするように摩擦嵌合として適所に保持し得る。ガード要素１には、随意には、穴３が形成されて、フック（図示略）から懸架することによって幾つかの好都合な位置にそのフックの収容を可能にし得る。
【００３０】
図３に示すような本発明の第２の好ましい実施形態では、ガード要素１は、作業台上面６の端縁に沿って配置されたスロット５内に取り付けられる。スロットは、作業台上面の表面内に機械加工することによって、または作業台上面の端縁に取り付けられた端縁ストリップの一部として、形成し得る。
【００３１】
この実施形態でも、ガード要素１は永久的に又は半永久的に（例えば、摩擦嵌合によって又はモールド成型錠止嵌合によって）スロット５内に固定し得るか、代替的には、所望により取外し得るように摩擦嵌合としてスロット内に設置し得る。この後者の場合には、スロット５には、そのスロット５内への材料又は液体の進入を阻止するようにおよび外観を良くするためにカバーストリップ７（図４に示す）を設け得る。
【００３２】
本発明の更なる好ましい実施形態では、スロットは、ガード要素が取外される時に、スロットを越えた位置内に付勢されるばね装架式カバーストリップによって覆い得る。
【００３３】
本発明の更に別の実施形態では、ガード要素１はヒンジによって作業台上面６に作動するようにも取り付け得る。ヒンジは作業台上面の作業表面に永久的に取り付け得るか、あるいは着脱自在に取り付け得る。
【００３４】
記載した全ての実施形態では、ガード要素は、木材の積層体、圧搾繊維又はプラスチック又はこれらの組合せ、及び鋼又はアルミニウムのような金属を含む適切な材料の範囲の何れかから形成し得る。非金属材料は透明又は不透明とし得る。
【００３５】
使用に際して、ガード要素は、端縁を越えて流れる流体を阻止し、あるいは物体が偶発的に作業台上面の端縁を越えて押圧されるのを阻止するように共に働き、また、小さな子供が端縁を越えて物体を引っ張るまでに到達することに対する障害物として働く。特に、台所作業台上面の表面に位置する調理台上面の正面に沿って配置されたガード要素は、この極めて危険なことの発生の可能性を最小化する役目を果たす。
【００３６】
ガード要素がスロットから取外し可能な本発明の実施形態に対しては、異なるガード要素には、異なる作業及び安全条件に適合する高さ範囲を設け得る。従って、例えば、比較的背の高い容器が使用される実験室の状況では比較的背の高いガードを保持要素内に挿入し得る一方で、唯一の関心事が液体のこぼれのみである状況では比較的背の低いガードを適切とし得る。
【００３７】
図７を参照すると、上述した実施形態の何れかによるベンチガード１０は、ストーブすなわち作業台表面１１上に位置づけられて図示され、かつ、作業台すなわち台所上面１１に隣接する床１２上の子供の頭部高さにある子供の視線から視た場合に、ガード１０は、子供が台所上面すなわち作業台上面１１上にある障壁を越えて物品を見ることに対する視覚的障壁として働く。最終的な結果として、子供はガードの他側にある物品を見ることができず、これにより、子供はこれらの物品に惹きつけられるようなることはあり得ない。逆に、大人の視線は遮られないので、大人は台所又は類似の環境でストーブすなわち作業台上面１１に位置するソースパン１３のような物品を上手く操作し得る。
【００３８】
図８、図９及び図１０を参照すると、ガード２０、３０、及び４０を、それぞれ、備えるガードの３つの実施形態が斜視図で示されている。各ガードは高さＨ１、Ｈ２、及びＨ３を備える作業台上部の表面より上に異なる高さＨを有して配置される。留意すべきは、ガード材料それ自体は透明物質から作られ、子供と大人の間のように図７に示す結果を達成するように、使用者が種々の高さＨ１、Ｈ２、Ｈ３から選択することができることである。
【００３９】
図８を参照すると、ガード２０は縦に整列されたスロット２２を備えたガード支持レール２１を具備し、そのスロットは直立した方向において摺動可能に実質的に中実且つ隣接するガード部材２３をその内部且つスロット２２の長さに亘って収容する。
【００４０】
直立方向の矢印によって示すように、スロット２２からのガード部材２３の分離は、レール２１に対して上向き方向に直角な運動をすることによって達成される。逆に、係合は逆方向に行われる。作業台上面１１と比較したスロット２２の形状及び相対的角度は、実質的に直角な係合及び分離が可能であるようなものである。
【００４１】
この配置構成は、子供がしそうであると予想し得る長手方向に直角な横方向運動によってガード部材２３が分離し得ないことを保証する。これに反して、清掃等のために大人が直画方向に係合させることは比較的容易である。
【００４２】
本発明の幾つかの実施形態と変形のみを記述した上述の記載は、当業者には自明であるが、本発明の範囲及び精神から逸脱せずにこれをなし得る。
【符号の説明】
【００４３】
１  ・・・ガード要素
２、４  ・・・持要素
５  ・・・スロット
６  ・・・作業台上面
８  ・・・カバーストリップ
９  ・・・ネジ
１０  ・・・リベット
１１  ・・・作業台上面
１２  ・・・床
１３  ・・・ソースパン
２０、３０、４０  ・・・ガード
２１  ・・・作業台上面
２２  ・・・スロット
２３  ・・・ガード部材
Ｈ１  ・・・ガード２０の高さ
Ｈ２  ・・・ガード３０の高さ
Ｈ３  ・・・ガード４０の高さ
【図１】
2010104794.tif 000003
【図２】
2010104794.tif 000004
【図３】
2010104794.tif 000005
【図４】
2010104794.tif 000006
【図５】
2010104794.tif 000007
【図６】
2010104794.tif 000008
【図７】
2010104794.tif 000009
【図８】
2010104794.tif 000010
【図９】
2010104794.tif 000011
【図１０】
2010104794.tif 000012
【外国語明細書】
2010104794.tif 000013
2010104794.tif 000014
2010104794.tif 000015
2010104794.tif 000016
2010104794.tif 000017
2010104794.tif 000018
2010104794.tif 000019
2010104794.tif 000020
2010104794.tif 000021
2010104794.tif 000022
2010104794.tif 000023
2010104794.tif 000024